(57)【要約】      （修正有）【課題】介護者の手を借りることなく身障者が１人で乗り降り出来る車いすを提供する。【解決手段】車体背面及び座席下部の車体底面が開放されており、座席下面に身障者移動用ベッドを挿入できる空隙を有し、座席４が車体後部及び座席下部の車体２が開放されており、座席下面に身障者移動用ベッドを挿入できる空隙を有し、座席４がこれに起伏自在な背もたれ５を有し、且つ車体２の一側に沿って起伏自在であり、座席４を起立した状態で上記ベッドと車体内間で身障者が移動できる。座席４と背もたれ５は操作手段によって夫々同期して起伏及び伏起される。【選択図】図５
2011177431.tif 000002
【特許請求の範囲】
【請求項１】
車体背面及び座席下部の車体底面が開放されており、上記座席下面に身障者移動用ベッドを挿入できる空隙を有し、上記座席がこれに起伏自在な背もたれを有し、且つ車体の一側に沿って起伏自在であり、上記座席を起立した状態で上記ベッドと車体内間で身障者が移動できることを特徴とする車椅子。
【請求項２】
上記座席と背もたれが操作手段によって夫々同期して起伏及び伏起されることを特徴とする請求項１記載の車椅子。
【請求項３】
上記操作手段が、上記座席と背もたれを夫々ばね力に抗して水平位置と垂直位置間で変位せしめるため開閉される蝶番と、この蝶番の開閉をワイヤーを介して操作する電動ホイストとより成ることを特徴とする請求項２記載の車椅子。
【請求項４】
上記操作手段が、上記電動ホイストにより左右に揺動される駆動板と、この駆動板上に並設した夫々上下に延びる、座席起伏用ワイヤー及び背もたれ起伏用ワイヤーの端部を夫々螺合した回動自在な固定用ねじロッドとを有することを特徴とする請求項３記載の車椅子。
【請求項５】
上記座席と背もたれが操作手段によって夫々個々に起伏及び伏起され、座席を起立せしめる場合には、前もって起立していた背もたれを水平に倒して座席に重ねた後に座席を起立せしめるようにし、また、座席を水平に倒す場合には、水平に倒した後に背もたれを起立せしめるようにすることを特徴とする請求項１記載の車椅子。
【発明の詳細な説明】
【技術分野】
【０００１】
本発明は、車椅子、特に、車体内の座席の下面に身障者移動用ベッドを挿入でき、起伏自在な背もたれを有する座席が垂直及び水平に起伏可能で、身障者の車内に対する乗り降りのためのスペースを形成できるようにした車椅子に関するものである。
【背景技術】
【０００２】
座席を分離して車外側方に引き出し得るようにした車椅子は特許文献１に示されている。
【０００３】
然しながらこのような車椅子では車椅子とベッド間で身障者が容易に乗り降りできるようにはなっていない欠点があった。
【先行技術文献】
【特許文献】
【０００４】
【特許文献１】特開２００１−３５４０５５号公報
【発明の概要】
【発明が解決しようとする課題】
【０００５】
本発明の目的は上記従来の車椅子の欠点を除くことにある。
【課題を解決するための手段】
【０００６】
本発明の車椅子は、車体背面及び座席下部の車体底面が開放されており、上記座席下面に身障者移動用ベッドを挿入できる空隙を有し、上記座席がこれに起伏自在な背もたれを有し、且つ車体の一側に沿って起伏自在であり、上記座席を起立した状態で上記ベッドと車体内間で身障者が移動できることを特徴とする。
【０００７】
上記座席と背もたれが操作手段によって夫々同期して起伏及び伏起されることを特徴とする。
【０００８】
上記操作手段は、上記座席と背もたれを夫々ばね力に抗して水平位置と垂直位置間で変位せしめるため開閉される蝶番と、この蝶番の開閉をワイヤーを介して操作する電動ホイストとより成ることを特徴とする。
【０００９】
上記操作手段は、上記電動ホイストにより左右に揺動される駆動板と、この駆動板上に並設した夫々上下に延びる、座席起伏用ワイヤー及び背もたれ起伏用ワイヤーの端部を夫々螺合した回動自在な固定用ねじロッドとを有することを特徴とする。
【００１０】
上記座席と背もたれが操作手段によって夫々個々に起伏及び伏起され、座席を起立せしめる場合には、前もって起立していた背もたれを水平に倒して座席に重ねた後に座席を起立せしめるようにし、また、座席を水平に倒す場合には、水平に倒した後に背もたれを起立せしめるようにすることを特徴とする。
【発明の効果】
【００１１】
本発明の車椅子によれば、車内の座席上に背もたれを折り畳むと共に座席を車体の一方の側壁に沿って起立せしめることによって車体内を身障者が容易に移動できるようになる。また、座席と背もたれの起伏を操作手段によって極めて簡単になし得る。
【図面の簡単な説明】
【００１２】
【図１】本発明の車椅子の正面図である。
【図２】本発明の車椅子の平面図である。
【図３】座席を折り畳む過程を示す背面図である。
【図４】座席を折り畳み左右に分離した状態を示す背面図である。
【図５】座席と背もたれの操作手段説明図である。
【図６】座席を折り畳む状態を示す説明図である。
【図７】座席を折り畳む状態を示す説明図である。
【図８】背もたれを折り畳む状態を示す正面図である。
【図９】図５に示す操作手段の一部の詳細図である。
【図１０】身障者とベッドを示す正面図である。
【図１１】車内に身障者が入り込んだ状態を示す正面図である。
【発明を実施するための形態】
【００１３】
以下図面によって本発明の実施例を説明する。
【実施例１】
【００１４】
本発明の車椅子１は、図１及び図２に示すように背面と底面の一部が開放自在とされている車体２と、この車体２を支持する車輪３と、車体２の後方に左右に２分割自在に設けた座席４と、この座席４の上面に起伏自在に設けた背もたれ５と、上記座席４の下面と上記車輪３の上面間に形成された、身障者移動用ベッド６を挿入可能な間隙７と、上記車体２の前方上部に形成した身障者用スペース８と、上下動自在な手すり９とより成る。
【００１５】
左右に２分割自在の上記座席４の夫々は図３及び図４に示すように車体２の側壁に沿うようその外側面下縁を支点として上方に直角に折り曲げ可能とする。
【００１６】
上記座席４と背もたれ５は操作手段１０により夫々起伏自在に操作する。上記操作手段１０は、図５〜図７に示すように上記座席４の外側面下縁を支点として座席４を直角に起伏し得るよう座席４の外側面下部と車体２間に開閉片を夫々取り付けた蝶番１１と、上記座席４が常時垂直位置から水平位置となるよう上記蝶番１１の開閉片を制御するコイルばね１２と、上記座席４が水平位置から垂直位置となるよう上記座席４の外側面上部を上記コイルばね１２の力に抗して引張する座席起伏用ワイヤー１３と、図５及び図８に示すように上記背もたれ５の外側面下部を支点として背もたれ５を座席４上に伏し得るよう座席４の後端面下部から後方に延長した上面開口１４ａを有する断面コ字状の小袋部分１４と、この小袋部分１４の上面と背もたれ５の後端面下部間に開閉片を夫々取り付けた蝶番１５と、上記背もたれ５が常時垂直位置から水平位置となるよう上記蝶番１５の開閉片を制御するコイルばね１６と、上記背もたれ５が垂直位置となるよう上記開口１４ａを介して上記小袋部分１４内に位置する背もたれ５の下端からの延長舌片５ａを上記コイルばね１６の力に抗して引張する背もたれ起伏用ワイヤー１７と、図９に示すように上端を車体２に回動自在に枢支した矩形状の駆動板１８と、この駆動板１８を左右に揺動せしめるためその下端に連結した電動ホイスト１９の作動杆２０と、上記駆動板１８上に並設した夫々上下に延びる、座席起伏用ワイヤー１３及び背もたれ起伏用ワイヤー１７の端部を夫々螺合した回動自在な固定用ねじロッド２１、２２とにより構成する。
【００１７】
本発明の車椅子１は上記のような構成であるから、その使用に際しては手動またはリモコン操作により図１０に示すように身障者が着座したベッド６に向って座席４を垂直に立てた状態とした車椅子１を接近せしめ、ベッド６を上記車体２内の間隙７内に挿入し、上記座席４の下側に位置せしめた後図１１に示すように身障者を身障者用スペース８の床上に起立せしめ、ベッド６を上記電動車椅子１から離脱せしめる。
【００１８】
次いで電動ホイスト１９を作動せしめて、座席４を水平位置に回動して戻し、且つ背もたれ５も起立して元の形に戻し、図１に示すように座席４上に身障者を着座せしめ、この状態で電動または手動で車椅子を移動せしめる。
【００１９】
身障者を車体２内からベッド６上に戻す場合には上記の状態から順次元に戻す作業を行なう。
【００２０】
なお、上記操作手段１０による座席４と背もたれ５の起伏は以下のようにしてなされる。
【００２１】
電動ホイスト１９を作動せしめてその作動杆２０を図９において右方に移動せしめれば、駆動板１８がその上端を支点として反時計方向に回動しねじロッド２１を介して座席起伏用ワイヤー１３が引張され、蝶番１１を介して座席４がコイルばね１２のばね力に抗して側壁２ａに沿って垂直に起立した状態となる。これと同時にねじロッド２２を介して背もたれ起伏用ワイヤー１７が緩められ、背もたれ５がコイルばね１６のばね力によって座席４上に重ねられた状態から図８に示すように垂直起立状態に戻るようになる。
【００２２】
また、電動ホイスト１９の作動杆２０を図９において左方に移動せしめれば、座席４と背もたれ５は逆の動作を行なうようになる。
【００２３】
なお、上記ワイヤー１３、１７の移動量は上記ねじロッド２１と２２を回動してねじロッド２１と２２に対するワイヤー１３、１７の端部固定位置を上下方向にづらすことによって任意に調節できる。
【００２４】
また、電動ホイスト１９の作動スイッチ（図示せず）は車体２の任意の場所に設けることができる。
【００２５】
なお、図９においては座席起伏用ワイヤー１３と背もたれ起伏用ワイヤー１７を夫々２本づつ示しているが、これは２分割した座席４及びこれに対応する背もたれ５を夫々操作するためのものである。
【００２６】
また、上記実施例では座席４を右右に２分割し、その中間に隙間が形成されるようにしたが、座席４は２分割せず、車体２の一方の側壁２ａに分割されない座席４全体が起立できるようにしても良いことは勿論である。
【００２７】
また、上記実施例では座席４と背もたれ５は同期して起伏及び伏起するようにしたが、座席４を起立せしめる場合には、前もって起立していた背もたれ５を水平に倒して座席４に重ねた後に座席４を起立せしめるようにし、また、座席４を水平に倒す場合には、水平に倒した後に背もたれ５を起立せしめるようにしても良い。操作手段１０をそのために適応せしめることは容易である。
【符号の説明】
【００２８】
１    車椅子
２    車体
２ａ  側壁
３    車輪
４    座席
５    背もたれ
５ａ  延長舌片
６    ベッド
７    間隙
８    身障者用スペース
９    手すり
１０    操作手段
１１    蝶番
１２    コイルばね
１３    座席起伏用ワイヤー
１４    小袋部分
１４ａ  開口
１５    蝶番
１６    コイルばね
１７    背もたれ起伏用ワイヤー
１８    駆動板
１９    電動ホイスト
２０    作動杆
２１    ねじロッド
２２    ねじロッド
【図１】
2011177431.tif 000003
【図２】
2011177431.tif 000004
【図３】
2011177431.tif 000005
【図４】
2011177431.tif 000006
【図５】
2011177431.tif 000007
【図６】
2011177431.tif 000008
【図７】
2011177431.tif 000009
【図８】
2011177431.tif 000010
【図９】
2011177431.tif 000011
【図１０】
2011177431.tif 000012
【図１１】
2011177431.tif 000013
【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
側壁（２ａ）を有する車体（２）と、座席（４）とを有し、上記車体（２）の背面及び座席（４）の下部の車体底面が開放されており、上記座席の下部に身障者移動用ベッドを挿入できる間隙（７）を有し、上記座席がこれに第１の操作手段によって起伏自在とされる背もたれ（５）を有し、上記座席が第２の操作手段によって車体の側壁に沿って起立自在であり、上記座席を起立した状態で上記ベッドと車体内間で身障者が移動でき、上記第１の操作手段が、上記座席に対して上記背もたれをばね力に抗して水平位置と垂直位置間で変位せしめるため開閉される蝶番（１５）と、この蝶番の開閉をワイヤー（１７）を介して操作する電動ホイスト（１９）とより成り、上記第２の操作手段が、上記座席をばね力に抗して水平位置と垂直位置間で変位せしめるため開閉される蝶番（１１）と、この蝶番の開閉をワイヤー（１３）を介して操作する電動ホイスト（１９）とより成ることを特徴とする車椅子。
【請求項２】
上記第１の操作手段のワイヤー（１７）と、上記第２の操作手段のワイヤー（１３）の端部が、上記電動ホイストにより左右に揺動される駆動板（１８）上に並設したねじロッド（２２）、（２１）に夫々螺合されていることを特徴とする請求項１記載の車椅子。
【手続補正２】
【補正対象書類名】明細書
【補正対象項目名】０００６
【補正方法】変更
【補正の内容】
【０００６】
本発明の車椅子は、側壁を有する車体と、座席とを有し、上記車体の背面及び座席の下部の車体底面が開放されており、上記座席の下部に身障者移動用ベッドを挿入できる間隙を有し、上記座席がこれに第１の操作手段によって起伏自在とされる背もたれを有し、上記座席が第２の操作手段によって車体の側壁に沿って起立自在であり、上記座席を起立した状態で上記ベッドと車体内間で身障者が移動でき、上記第１の操作手段が、上記座席に対して上記背もたれをばね力に抗して水平位置と垂直位置間で変位せしめるため開閉される蝶番と、この蝶番の開閉をワイヤーを介して操作する電動ホイストとより成り、上記第２の操作手段が、上記座席をばね力に抗して水平位置と垂直位置間で変位せしめるため開閉される蝶番と、この蝶番の開閉をワイヤーを介して操作する電動ホイストとより成ることを特徴とする。
【手続補正３】
【補正対象書類名】明細書
【補正対象項目名】０００７
【補正方法】変更
【補正の内容】
【０００７】
上記第１の操作手段のワイヤーと、上記第２の操作手段のワイヤーの端部が、上記電動ホイストにより左右に揺動される駆動板上に並設したねじロッドに夫々螺合されていることを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正書】
【提出日】平成23年1月14日(2011.1.14)
【手続補正１】
【補正対象書類名】特許請求の範囲
【補正対象項目名】全文
【補正方法】変更
【補正の内容】
【特許請求の範囲】
【請求項１】
側壁（２ａ）を有する車体（２）と、座席（４）とを有し、上記車体（２）の背面及び座席（４）の下部の車体底面が開放されており、上記座席の下部に身障者移動用ベッドを挿入できる間隙（７）を有し、上記座席がこれに第１の操作手段によって起伏自在とされる背もたれ（５）を有し、上記座席が第２の操作手段によって車体の側壁に沿って起立自在であり、上記座席を起立した状態で上記ベッドと車体内間で身障者が移動でき、上記第１の操作手段が、上記座席に対して上記背もたれをばね力に抗して水平位置と垂直位置間で変位せしめるため開閉される蝶番（１５）と、この蝶番の開閉をワイヤー（１７）を介して操作する電動ホイスト（１９）とより成り、上記第２の操作手段が、上記座席をばね力に抗して水平位置と垂直位置間で変位せしめるため開閉される蝶番（１１）と、この蝶番の開閉をワイヤー（１３）を介して操作する電動ホイスト（１９）とより成り、上記座席と背もたれが上記第１、第２の操作手段によって夫々同期して起伏されることを特徴とする車椅子。
【請求項２】
上記第１の操作手段のワイヤー（１７）と、上記第２の操作手段のワイヤー（１３）の端部が、上記電動ホイストにより左右に揺動される駆動板（１８）上に並設したねじロッド（２２）、（２１）に夫々螺合されていることを特徴とする請求項１記載の車椅子。
【手続補正２】
【補正対象書類名】明細書
【補正対象項目名】０００６
【補正方法】変更
【補正の内容】
【０００６】
本発明の車椅子は、側壁を有する車体と、座席とを有し、上記車体の背面及び座席の下部の車体底面が開放されており、上記座席の下部に身障者移動用ベッドを挿入できる間隙を有し、上記座席がこれに第１の操作手段によって起伏自在とされる背もたれを有し、上記座席が第２の操作手段によって車体の側壁に沿って起立自在であり、上記座席を起立した状態で上記ベッドと車体内間で身障者が移動でき、上記第１の操作手段が、上記座席に対して上記背もたれをばね力に抗して水平位置と垂直位置間で変位せしめるため開閉される蝶番と、この蝶番の開閉をワイヤーを介して操作する電動ホイストとより成り、上記第２の操作手段が、上記座席をばね力に抗して水平位置と垂直位置間で変位せしめるため開閉される蝶番と、この蝶番の開閉をワイヤーを介して操作する電動ホイストとより成り、上記座席と背もたれが上記第１、第２の操作手段によって夫々同期して起伏されることを特徴とする。
【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
側壁（２ａ）を有する車体（２）と、座席（４）とを有し、上記車体（２）の背面及び座席（４）の下部の車体底面が開放されており、上記座席の下部に身障者移動用ベッドを挿入できる間隙（７）を有し、上記座席がこれに第１の操作手段によって起伏自在とされる背もたれ（５）を有し、上記座席が第２の操作手段によって車体の側壁に沿って起立自在であり、上記座席を起立した状態で上記ベッドと車体内間で身障者が移動でき、上記第１の操作手段が、上記座席に対して上記背もたれをばね力に抗して水平位置と垂直位置間で変位せしめるため開閉される蝶番（１５）と、この蝶番の開閉をワイヤー（１７）を介して操作する電動ホイスト（１９）とより成り、上記第２の操作手段が、上記座席をばね力に抗して水平位置と垂直位置間で変位せしめるため開閉される蝶番（１１）と、この蝶番の開閉をワイヤー（１３）を介して操作する電動ホイスト（１９）とより成り、上記背もたれが上記第１の操作手段によって水平位置に変位されるとき、これに同期して上記座席が上記第２の操作手段によって垂直位置に変位され、上記座席が上記第２の操作手段によって水平位置に変位されるとき、これに同期して上記背もたれが上記第１の操作手段によって垂直位置に変位されることを特徴とする車椅子。
【請求項２】
上記第１の操作手段のワイヤー（１７）と、上記第２の操作手段のワイヤー（１３）の端部が、上記電動ホイストにより左右に揺動される駆動板（１８）上に並設したねじロッド（２２）、（２１）に夫々螺合されていることを特徴とする請求項１記載の車椅子。
【手続補正２】
【補正対象書類名】明細書
【補正対象項目名】０００６
【補正方法】変更
【補正の内容】
【０００６】
本発明の車椅子は、側壁を有する車体と、座席とを有し、上記車体の背面及び座席の下部の車体底面が開放されており、上記座席の下部に身障者移動用ベッドを挿入できる間隙を有し、上記座席がこれに第１の操作手段によって起伏自在とされる背もたれを有し、上記座席が第２の操作手段によって車体の側壁に沿って起立自在であり、上記座席を起立した状態で上記ベッドと車体内間で身障者が移動でき、上記第１の操作手段が、上記座席に対して上記背もたれをばね力に抗して水平位置と垂直位置間で変位せしめるため開閉される蝶番と、この蝶番の開閉をワイヤーを介して操作する電動ホイストとより成り、上記第２の操作手段が、上記座席をばね力に抗して水平位置と垂直位置間で変位せしめるため開閉される蝶番と、この蝶番の開閉をワイヤーを介して操作する電動ホイストとより成り、上記背もたれが上記第１の操作手段によって水平位置に変位されるとき、これに同期して上記座席が上記第２の操作手段によって垂直位置に変位され、上記座席が上記第２の操作手段によって水平位置に変位されるとき、これに同期して上記背もたれが上記第１の操作手段によって垂直位置に変位されることを特徴とする。